【事件の表示】
　特許第３４７１５６７号「浄水器」の請求項１、２に係る特許に対する特許異議の申立てについて、次のとおり決定する。
【結　論】
　訂正を認める。
　特許第３４７１５６７号の請求項１、２に係る特許を維持する。
【理　由】
１．手続の経緯
　
　本件特許第３４７１５６７号は、平成９年６月１２日に特許出願され、平成１５年９月１２日に特許権の設定登録がなされ、その後、特許異議申立人東レ株式会社より、特許異議の申立てがなされ、取消理由が通知され、その指定期間内である平成１７年１月７日付けで訂正請求がなされ、その後、特許異議申立人東レ株式会社より、上申書の提出がなされたものである。
　
２．訂正の適否
　
２−１．訂正の内容
　
　本件訂正の内容は、本件特許明細書を、訂正請求書に添付された訂正明細書のとおりに訂正すること、即ち、下記訂正事項（ａ）ないし（ｃ）のとおりに訂正しようとするものである。
　
訂正事項（ａ）
【特許請求の範囲】の、
「【特許請求の範囲】
【請求項１】　浄水器本体に着脱自在に取り付けられ、内部に導入された原水を濾過する濾過カートリッジと、
　該濾過カートリッジの使用開始以後に該濾過カートリッジ内を流れた水の積算流量を算出する積算流量算出手段と、
　該積算流量算出手段により算出された積算流量と該濾過カートリッジの基準寿命到達積算流量とを比較する比較手段とを備えた浄水器において、
　該濾過カートリッジは、該濾過カートリッジの寿命到達積算流量を識別可能とする寿命到達積算流量識別部を備えてなり、
　該濾過カートリッジが該浄水器本体に取り付けられたときに、該寿命到達積算流量識別部から該濾過カートリッジの寿命到達積算流量を識別して、そのデータを該基準寿命到達積算流量として該比較手段に供給する寿命到達積算流量設定部を備えてなることを特徴とする浄水器。
【請求項２】　請求項１記載の浄水器において、前記比較手段による比較結果を報知する報知手段を備えてなることを特徴とする浄水器。」
との記載を、
「【特許請求の範囲】
【請求項１】　浄水器本体に着脱自在に取り付けられ、内部に導入された原水を濾過する濾過カートリッジと、
　該濾過カートリッジの使用開始以後に該濾過カートリッジ内を流れた水の積算流量を算出する積算流量算出手段と、
　該積算流量算出手段により算出された積算流量と該濾過カートリッジの基準寿命到達積算流量とを比較する比較手段とを備えた浄水器において、
　該濾過カートリッジは、該濾過カートリッジの寿命到達積算流量を識別可能とする寿命到達積算流量識別部を備えてなり、
　異種の該濾過カートリッジが該浄水器本体に取り付けられたときに、該寿命到達積算流量識別部から該濾過カートリッジの寿命到達積算流量を識別して、そのデータを該基準寿命到達積算流量として該比較手段に供給する寿命到達積算流量設定部を備えてなり、
　前記濾過カートリッジに設けられた寿命到達積算流量識別部は、磁性体又は突部であり、且つ前記浄水器本体と接続されて該浄水器本体から前記原水が導入される前記濾過カートリッジの原水導入口と同一面に設けられていることを特徴とする浄水器。
【請求項２】　請求項１記載の浄水器において、前記比較手段による比較結果を報知する報知手段を備えてなることを特徴とする浄水器。」
と訂正する。
　
訂正事項（ｂ）
段落【０００８】の
「【課題を解決するための手段】
　上記の目的を達成するために本発明は、以下の構成を採用している。
　請求項１記載の浄水器は、浄水器本体に着脱自在に取り付けられ、内部に導入された原水を濾過する濾過カートリッジと、該濾過カートリッジの使用開始以後に該濾過カートリッジ内を流れた水の積算流量を算出する積算流量算出手段と、該積算流量算出手段により算出された積算流量と該濾過カートリッジの基準寿命到達積算流量とを比較する比較手段とを備えた浄水器において、該濾過カートリッジは、該濾過カートリッジの寿命到達積算流量を識別可能とする寿命到達積算流量識別部を備えてなり、該濾過カートリッジが該浄水器本体に取り付けられたときに、該寿命到達積算流量識別部から該濾過カートリッジの寿命到達積算流量を識別して、そのデータを該基準寿命到達積算流量として該比較手段に供給する寿命到達積算流量設定部を備えてなることを特徴とする。」
との記載を、
「【課題を解決するための手段】
　上記の目的を達成するために本発明は、以下の構成を採用している。
　請求項１記載の浄水器は、浄水器本体に着脱自在に取り付けられ、内部に導入された原水を濾過する濾過カートリッジと、該濾過カートリッジの使用開始以後に該濾過カートリッジ内を流れた水の積算流量を算出する積算流量算出手段と、該積算流量算出手段により算出された積算流量と該濾過カートリッジの基準寿命到達積算流量とを比較する比較手段とを備えた浄水器において、該濾過カートリッジは、該濾過カートリッジの寿命到達積算流量を識別可能とする寿命到達積算流量識別部を備えてなり、異種の該濾過カートリッジが該浄水器本体に取り付けられたときに、該寿命到達積算流量識別部から該濾過カートリッジの寿命到達積算流量を識別して、そのデータを該基準寿命到達積算流量として該比較手段に供給する寿命到達積算流量設定部を備えてなり、前記濾過カートリッジに設けられた寿命到達積算流量識別部は、磁性体又は突部であり、且つ前記浄水器本体と接続されて該浄水器本体から前記原水が導入される前記濾過カートリッジの原水導入口と同一面に設けられていることを特徴とする。」
と訂正する。
　
訂正事項（ｃ）
段落【００３６】の
「【発明の効果】
　以上説明したように、請求項１に係る浄水器によれば、濾過カートリッジの寿命到達積算流量を識別可能とする寿命到達積算流量識別部と、寿命到達積算流量識別部を識別して濾過カートリッジの基準寿命到達積算流量を設定する寿命到達積算流量設定部を備える構成となっている。
　これにより、水の使用量の増減に際しても、浄水器を新たに購入することなく、濾過カートリッジに応じて寿命到達積算流量識別部を変更したときに、寿命到達積算流量設定部が変更に対応して寿命到達積算流量を設定することができるという優れた効果を奏するものである。」
との記載を、
「【発明の効果】
　以上説明したように、請求項１に係る浄水器によれば、濾過カートリッジの寿命到達積算流量を識別可能とする寿命到達積算流量識別部と、寿命到達積算流量識別部を識別して異種の濾過カートリッジの基準寿命到達積算流量を設定する寿命到達積算流量設定部を備え、寿命到達積算流量識別部は、磁性体又は突部であり、且つ前記浄水器本体と接続されて該浄水器本体から前記原水が導入される前記濾過カートリッジの原水導入口と同一面に設けられている構成となっている。
　これにより、水の使用量の増減に際しても、浄水器を新たに購入することなく、濾過カートリッジに応じて寿命到達積算流量識別部を変更したときに、寿命到達積算流量設定部が変更に対応して寿命到達積算流量を設定することができるという優れた効果を奏するものである。」　
と訂正する。
　
２−２．訂正の目的の適否、新規事項の有無及び拡張・変更の存否
　
　上記訂正事項（ａ）は、訂正前【請求項１】の「該濾過カートリッジが」から「異種の該濾過カートリッジが」と訂正することはその範囲を減縮するものであり、前記濾過カートリッジに設けられた寿命到達積算流量識別部は、磁性体又は突部であり、「且つ前記浄水器本体と接続されて該浄水器本体から前記原水が導入される前記濾過カートリッジの原水導入口と同一面に設けられていることを特徴とする」構成を附加する訂正は、浄水器の構成の特定化であるから、上記訂正事項（ａ）は、特許請求の範囲の減縮を目的とする訂正に該当する。 
　上記訂正事項（ｂ）は、【０００８】の記載を、【請求項１】の記載に整合させるために行うものであるから、明りようでない記載の釈明を目的とする訂正に該当するものである。 
　上記訂正事項（ｃ）は、【００３６】の記載を、【請求項１】の記載に整合させるために行うものであるから、明りようでない記載の釈明を目的とする訂正に該当するものである。 
　そして、上記訂正事項（ａ）ないし（ｃ）は、段落【００１７】、【００１９】、【００３２】、【００３４】、【図２】及び【図３】の記載に基づくものであり、上記訂正事項（ａ）ないし（ｃ）は、いずれも願書に添付した明細書に記載した事項の範囲内においてなされたものであって、実質上特許請求の範囲を拡張し、又は変更するものではない 
　
２−３．まとめ
　
  以上のとおりであるから、上記訂正は、特許法第１２０条の４第２項及び同条第３項において準用する特許法第１２６条第２項から第４項までの規定に適合するので、当該訂正を認める。
　
３．特許異議の申立てについての判断
　
３−１．本件発明
　
  訂正後の本件請求項１、２に係る発明（以下、「本件発明１、２」という。）は、上記２．で示したように、上記訂正が認められるから、上記訂正請求に係る訂正明細書の特許請求の範囲の請求項１、２に記載された事項により特定される次のとおりのものである。
（上記２−１．の訂正事項参照）
　
「【請求項１】　浄水器本体に着脱自在に取り付けられ、内部に導入された原水を濾過する濾過カートリッジと、
　該濾過カートリッジの使用開始以後に該濾過カートリッジ内を流れた水の積算流量を算出する積算流量算出手段と、
　該積算流量算出手段により算出された積算流量と該濾過カートリッジの基準寿命到達積算流量とを比較する比較手段とを備えた浄水器において、
　該濾過カートリッジは、該濾過カートリッジの寿命到達積算流量を識別可能とする寿命到達積算流量識別部を備えてなり、
　異種の該濾過カートリッジが該浄水器本体に取り付けられたときに、該寿命到達積算流量識別部から該濾過カートリッジの寿命到達積算流量を識別して、そのデータを該基準寿命到達積算流量として該比較手段に供給する寿命到達積算流量設定部を備えてなり、
　前記濾過カートリッジに設けられた寿命到達積算流量識別部は、磁性体又は突部であり、且つ前記浄水器本体と接続されて該浄水器本体から前記原水が導入される前記濾過カートリッジの原水導入口と同一面に設けられていることを特徴とする浄水器。
【請求項２】　請求項１記載の浄水器において、前記比較手段による比較結果を報知する報知手段を備えてなることを特徴とする浄水器。」
　
３−２．特許異議の申立ての理由の概要
　
【理由１】  申立人は、証拠として甲第１ないし５号証を提示し、甲第３ないし５号証を勘案すれば、訂正前の本件請求項１、２に係る発明は下記の刊行物１ないし２に記載された発明であるから、訂正前の本件請求項１、２に係る発明は特許法第２９条第１項の規定に違反するものであり、訂正前の本件請求項１、２に係る発明に係る特許は取り消されるべきであると主張している。
　
【理由２】  申立人は、証拠として甲第１ないし５号証を提示し、訂正前の本件請求項１、２に係る発明は下記の甲第１号証ないし甲第５号証の記載に基づいて当業者が容易に想到し得る発明であるから、訂正前の本件請求項１、２に係る発明は特許法第２９条第２項の規定に違反するものであり、訂正前の本件請求項１、２に係る特許は取り消されるべきであると主張している。
　
刊行物１：特開平８−１０７５２号公報（甲第１号証）
刊行物２：米国特許第５６２８８９５号明細書（異議２００３−７３８６６号の甲第２号証）
甲第２号証：特開平８−２０６６４８号公報
甲第３号証：特開昭６２−９５５５２号公報
甲第４号証：特開平２−１６０２６２号公報
甲第５号証：特開平４−２８４８０７号公報
甲第６号証：日立製作所・日立家電、「ミニロカ」のカタログ　平成２年１月
甲第７号証：三友新聞、「トレビーノ・カセッティーＨｉ」に関する記事  平成９年５月２９日発行
　
３−３．取消理由の概要
　
　訂正前の本件請求項１、２に係る発明は刊行物１ないし刊行物２の記載に基づいて当業者が容易に想到し得る発明であるから、訂正前の本件請求項１、２に係る発明は特許法第２９条第２項の規定に違反するものであり、訂正前の本件請求項１、２に係る特許は取り消すべきものと認められるというものである。
　
３−４．刊行物の記載
　
３−４−１．上記刊行物１の記載事項 
 　 
（１−ア）「カートリッジ装着後の積算流量及び／又は積算時間を測定し、カートリッジ交換時期を使用者に表示警告する機能を有する浄水器において、カートリッジ交換時以外にカートリッジを脱着した時、それまで積算された積算値が初期化されることのない浄水器を得ること。」（第１頁の要約）
 （１−イ）「本発明は・・・濾過材を格納したカートリッジにより、水道水を浄水濾過する浄水器に係り、特にカートリッジの装着後の積算使用流量及び／又は積算時間の計測を行うことにより、カートリッジの交換時期を使用者に表示する機能を有する浄水器に関する。」（第２頁左欄第２１〜２６行） 
（１−ウ）「計測部は、流量検出部からの出力により使用流量を積算するとともに、カートリッジを装着してからの時間を積算し、これら積算値が、予めカートリッジ寿命から算出して設定した設定値に達したとき、計測部に配設された表示部を点灯させる。」（第３頁左欄第１２〜１６行） 
（１−エ）「新しいカートリッジを装着すると、管理記号検出部が、カートリッジ表面に印刷された管理記号部の管理記号を読み込み、計測部に出力を行う。」（第３頁右欄第１６〜１８行） 
（１−オ）「カートリッジ内に埋め込んで用いる管理記号部としては、プラスチック若しくはゴムマグネットの微小着磁体等が挙げられる。」（第２頁右欄第３０〜３３行） 
（１−カ）「計測部は、以前装着されていたカートリッジの管理記号を記憶しているので、以前の管理記号と新しく装着されたカートリッジの管理記号の比較を行い、同一でない場合には、新しい管理記号を計測部に記憶するとともにそれまで積算された積算使用量と積算時間のデータをリセットして、新たに初期値積算を開始する。」（第３頁右欄第１８〜２４行） 
（１−キ）「本発明の浄水器は、カートリッジを取り外した後、同じカートリッジを装着しても、計測部において積算されたカートリッジ装着後の使用流量、時間の積算値が消去されることがなく、それまでの積算値に加算して積算を開始する」（第３頁右欄第３１〜３５行） 
　
３−４−２．上記刊行物２の記載事項 
　
（ ２−ア）「濾過カートリッジは、配管と取替え可能な構造で、それぞれ異なる内部構造と濾材を持つカートリッジの複数の中から選択できる。」（第８欄第３７〜４１行） 
　
３−５．当審における判断
　
３−５−１．取消理由について
　
３−５−１−１．本件発明１について 
 　 
　上記刊行物１の（１−イ）の「水道水を浄水濾過する交換可能な濾過カートリッジ」は本件発明１の「浄水器本体に着脱自在に取り付けられ、内部に導入される原水を濾過する濾過カートリッジ」に対応する。 
 　上記刊行物１の（１−イ）の「カートリッジの装着後の積算使用流量の計測手段」及び（１−ウ）の「流量検出部からの出力により使用流量を積算する手段」は本件発明１の「該濾過カートリッジの使用開始以後に該濾過カートリッジ内を流れた水の積算流量を算出する積算流量算出手段」に対応する。 
 　上記刊行物１の（１−ウ）の「積算値が予めカートリッジ寿命から算出して設定値に達したときを確認する手段」は本件発明１の「積算流量算出手段により算出された積算流量と該濾過カートリッジの基準寿命到達積算流量とを比較する比較手段」に対応する。 
 　上記刊行物１の（１−エ）の「カートリッジ表面に印刷された管理記号部の管理記号」及び（１−オ）の「カートリッジ内に埋め込んで用いる管理記号部としては、プラスチック若しくはゴムマグネットの微小着磁体」は本件発明１の「寿命到達積算流量識別部（具体的には磁性体２５）」に対応する。 
　上記刊行物１の（１−ウ）の「予めカートリッジ寿命から算出して設定した設定値」は本件発明１の「寿命到達積算流量設定部」に対応している。
　この点をふまえて、上記刊行物１の記載事項についてみるに、上記刊行物１には、記載（１−ア）、（１−エ）、（１−キ）からして「寿命が同じで残存寿命が異なる同種の濾過カートリッジの識別部を識別し、カートリッジ交換時にカートリッジを着脱した時には、新たに装着された同種のカートリッジが脱着された同種のカートリッジとは別のものであるかどうかを検出する検出手段で識別し、新たに装着された同種のカートリッジが脱着された同種のカートリッジとは別のものであると識別した時はそれまで積算された積算値が初期化され、新たに装着された同種のカートリッジが脱着された同種のカートリッジとは別のものでないと識別した時はそれまで積算された積算値が初期化されることのない、濾過カートリッジを流れる水の積算流量を算出する積算流量算出手段」が記載されており、記載（１−ア）、（１−ウ）からして「寿命の同一の同種のカートリッジに固有の単一の寿命到達積算流量を設定する寿命到達積算流量設定部」が記載されていることからして、刊行物１の記載を本件発明１の記載ぶりに則って整理すると、
「浄水器本体に着脱自在に取り付けられ、内部に導入された原水を濾過する濾過カートリッジと、
　該濾過カートリッジの使用開始以後に該濾過カートリッジ内を流れた水の積算流量を算出する、寿命が同じで 残存寿命が異なる同種の濾過カートリッジに設けられた識別部を識別し、カートリッジ交換時にカートリッジを着脱した時には、新たに装着された同種のカートリッジが脱着された同種のカートリッジとは別のものであるかどうかを検出する検出手段で識別し、新たに装着された同種のカートリッジが脱着された同種のカートリッジとは別のものであると識別した時はそれまで積算された積算値が初期化され、新たに装着された同種のカートリッジが脱着された同種のカートリッジとは別のものでないと識別した時はそれまで積算された積算値が初期化されることのない、積算流量算出手段と、
　該積算流量算出手段により算出された積算流量と該濾過カートリッジの基準寿命到達積算流量とを比較する比較手段とを備えた浄水器において、
　該濾過カートリッジは、寿命が同じで 残存寿命が異なる同種の濾過カートリッジを識別可能とする識別部を備えてなり、
　該濾過カートリッジが該浄水器本体に取り付けられたときに、寿命の同一の同種のカートリッジに固有の単一の寿命到達積算流量を設定する寿命到達積算流量設定部を備えてなり、
　前記濾過カートリッジに設けられた寿命到達積算流量識別部は、カートリッジ表面に印刷された管理記号又はカートリッジ内に埋め込んで用いるプラスチック若しくはゴムマグネットの微小着磁体であることを特徴とする浄水器。」（以下、「刊行物１発明」という。）
が記載されていると云える。
　そこで、本件発明１と上記刊行物１発明とを対比すると、両者は、
「浄水器本体に着脱自在に取り付けられ、内部に導入された原水を濾過する濾過カートリッジと、
　該濾過カートリッジの使用開始以後に該濾過カートリッジ内を流れた水の積算流量を算出する積算流量算出手段と、
　該積算流量算出手段により算出された積算流量と該濾過カートリッジの基準寿命到達積算流量とを比較する比較手段とを備えた浄水器において、
　該濾過カートリッジは、該濾過カートリッジを識別可能とする識別部を備えてなり、
　該濾過カートリッジが該浄水器本体に取り付けられたときに、寿命到達積算流量を設定する寿命到達積算流量設定部を備えてなり、
　前記濾過カートリッジに設けられた寿命到達積算流量識別部は、磁性体であることを特徴とする浄水器。」
である点で一致するが、
　
　本件発明１では「異種の該濾過カートリッジが該浄水器本体に取り付けられたときに、該寿命到達積算流量識別部から該濾過カートリッジの寿命到達積算流量を識別して、そのデータを該基準寿命到達積算流量として該比較手段に供給する寿命到達積算流量設定部」であるのに対し、上記刊行物１発明では「寿命の同一の同種のカートリッジに固有の単一の寿命到達積算流量を設定する寿命到達積算流量設定部」である点（相違点１）、
　本件発明１は「濾過カートリッジの寿命到達積算流量を識別可能とする寿命到達積算流量識別部」であるのに対して、上記刊行物１発明では「寿命が同じで 残存寿命が異なる同種の濾過カートリッジを識別可能とする識別部」である点（相違点２）、
　本件発明１では「原水が浄水部流入路を通過しているときに作動して積算流量を算出する積算流量算出手段」であるのに対し、上記刊行物１発明では「該濾過カートリッジの使用開始以後に該濾過カートリッジ内を流れた水の積算流量を算出する、寿命が同じで残存寿命が異なる同種の濾過カートリッジを識別し、カートリッジ交換時にカートリッジを着脱した時には、新たに装着された同種のカートリッジが脱着された同種のカートリッジとは別のものであるかどうかを検出する検出手段で識別し、新たに装着された同種のカートリッジが脱着された同種のカートリッジとは別のものであると識別した時はそれまで積算された積算値が初期化され、新たに装着された同種のカートリッジが脱着された同種のカートリッジとは別のものでないと識別した時はそれまで積算された積算値が初期化されることのない、積算流量算出手段」である点（相違点３）、
　本件発明１では「前記濾過カートリッジに設けられた寿命到達積算流量識別部が、磁性体であり、且つ前記浄水器本体と接続されて該浄水器本体から前記原水が導入される前記濾過カートリッジの原水導入口と同一面に設けられている」のに対し、上記刊行物１発明では「前記濾過カートリッジに設けられた寿命到達積算流量識別部が、磁性体であるが、且つ前記浄水器本体と接続されて該浄水器本体から前記原水が導入される前記濾過カートリッジの原水導入口と同一面に設けられているものであるかどうかは明記されていない」点（相違点４）、
で相違する。 
　
  以下、相違点について検討する。
　
　まず、相違点１について検討する。
　
　刊行物２のポータブル水処理装置は濾過カートリッジを配管と接続するもので、濾過カ−トリッジはそれぞれ異なる内部構造と濾材を持つ複数のもの選択できるものであるが、刊行物２にはこのポータブル水処理装置が「異種の該濾過カートリッジが該浄水器本体に取り付けられたときに、該寿命到達積算流量識別部から該濾過カートリッジの寿命到達積算流量を識別して、そのデータを該基準寿命到達積算流量として該比較手段に供給する寿命到達積算流量設定部」を有することは記載も示唆もされていない。
  甲第２号証の浄水器は使用するカートリッジの寿命を検出できるものであるが、甲第２号証にはこの浄水器が「異種の該濾過カートリッジが該浄水器本体に取り付けられたときに、該寿命到達積算流量識別部から該濾過カートリッジの寿命到達積算流量を識別して、そのデータを該基準寿命到達積算流量として該比較手段に供給する寿命到達積算流量設定部」を有することは記載も示唆もされていない。
　甲第６号証には「・仕様」として複数種類の本体毎と推測されるカートリッジ本体寿命、及び本体とカートリッジの対応が記載されているが、一種類の本体に対して寿命の異なる異種の濾過カートリッジが交換可能である点については何ら記載されておらず、これらの本体が「異種の該濾過カートリッジが該浄水器本体に取り付けられたときに、該寿命到達積算流量識別部から該濾過カートリッジの寿命到達積算流量を識別して、そのデータを該基準寿命到達積算流量として該比較手段に供給する寿命到達積算流量設定部」を有することは記載も示唆もされていない。
　甲７号証には浄水器「トレビーノ・カセッティＨｉ」のカートリッジが、「トレビーノ・カセッティＨｉ」、「トレビーノ・カセッティＨｉ」にも互換性があることが記載されているが、該記載は「４〜５ヶ月」という一種類の寿命を有するカートリッジについてのものであるから、一種類の本体に対して寿命の異なる異種の濾過カートリッジが交換可能である点については何ら記載されておらず、これらの本体が「異種の該濾過カートリッジが該浄水器本体に取り付けられたときに、該寿命到達積算流量識別部から該濾過カートリッジの寿命到達積算流量を識別して、そのデータを該基準寿命到達積算流量として該比較手段に供給する寿命到達積算流量設定部」を有することは記載も示唆もされていない。
　
　してみると、甲第２、６、７号証を勘案して刊行物１ないし２を組み合わせても、上記相違点１の構成は当業者が容易に想到し得るものであるとすることはできない。
　
　そして、本件発明１は、上記の相違点１の構成を採用することにより、「水の使用量の増減に際しても、浄水器を新たに購入することなく、濾過カートリッジに応じて寿命到達積算流量識別部を変更したときに、変更に対応して寿命到達積算流量を設定できるとともに、濾過カートリッジの交換時期の到来を容易に知ることができる」という明細書記載の効果を奏するものである。
　
　したがって、相違点２ないし４について検討するまでもなく、本件発明１は、甲第２、６、７号証を勘案して刊行物１ないし２を組み合わせても、当業者が容易に想到し得るものであるとすることはできない。 
 　 
　そして、甲第３ないし５号証は技術分野がまったく異なるものであって、本件発明１の同一性と容易性の判断の根拠となるものではないから、これらの文献を勘案する異議申立人の主張を採用することもできない。
　
３−５−１−２．本件発明２について 
　
　本件発明２は、本件発明１を引用してさらに限定した発明であるから、上記３−５−１−１．と同じ理由で、甲第２、６、７号証を勘案して刊行物１ないし２を組み合わせてみても、当業者が容易に想到し得るものであるとすることはできない。
　
３−５−２．申立人のその余の主張について
　
（理由１について）
　
　上記３−５−１−１．で述べたとおり、甲第１ないし２号証には本件発明１の構成要件である「異種の該濾過カートリッジが該浄水器本体に取り付けられたときに、該寿命到達積算流量識別部から該濾過カートリッジの寿命到達積算流量を識別して、そのデータを該基準寿命到達積算流量として該比較手段に供給する寿命到達積算流量設定部」が記載されておらず、甲第３ないし５号証を勘案することもできないので、本件発明１ないし２は、甲第１ないし２号証に記載された発明ではない。
　
（理由２について）
　
　上記３−５−１−１．で述べたとおり、甲第１ないし２号証には本件発明１の構成要件である「異種の該濾過カートリッジが該浄水器本体に取り付けられたときに、該寿命到達積算流量識別部から該濾過カートリッジの寿命到達積算流量を識別して、そのデータを該基準寿命到達積算流量として該比較手段に供給する寿命到達積算流量設定部」が記載されておらず、甲第３ないし５号証を勘案することもできないので、本件発明１ないし２は、甲第１ないし５号証に記載された発明から当業者が容易に想到し得る発明ではない。
　
　４．むすび
　
　以上のとおりであるから、特許異議の申立ての理由及び証拠によっては、本件発明１ないし２に係る特許を取り消すことはできない。
　また、他に本件発明１ないし２に係る特許を取り消すべき理由を発見しない。
　よって、結論のとおり決定する。
【異議決定日】
平成１８年２月２１日（２００６．２．２１）
【訂正の要旨】
審決（決定）の【理由】欄参照。
（５４）【発明の名称】
浄水器
（５７）【特許請求の範囲】
　【請求項１】浄水器本体に着脱自在に取り付けられ、内部に導入された原水を濾過する濾過カートリッジと、
　該濾過カートリッジの使用開始以後に該濾過カートリッジ内を流れた水の積算流量を算出する積算流量算出手段と、
　該積算流量算出手段により算出された積算流量と
該
　該濾過カートリッジは、該濾過カートリッジの寿命到達積算流量を識別可能とする寿命到達積算流量識別部を備えてなり、
　
異種の
、
　
前記濾過カートリッジに設けられた寿命到達積算流量識別部は、磁性体又は突部であり、且つ前記浄水器本体と接続されて該浄水器本体から前記原水が導入される前記濾過カートリッジの原水導入口と同一面に設けられている
　【請求項２】請求項１記載の浄水器において、
　前記比較手段による比較結果を報知する報知手段を備えてなることを特徴とする浄水器。
【発明の詳細な説明】
　【０００１】
　【発明の属する技術分野】
　本発明は、浄水用濾過カートリッジの寿命を検出する機能を有する浄水器に関するものである。
　【０００２】
　【従来の技術】
　周知のように、飲料水として飲用する水道水には、各種細菌類やカルキ臭等の異臭が含まれており、この水道水をより安全で美味しい水にするために広く浄水器が用いられている。
　この種の浄水器は、その設置する形態により据置型、蛇口直結型、アンダーシンク型等に分けられているが、その多くが、蛇口から流出する原水を浄水器に設けられた濾材により濾過した後、浄水として吐出する構造を有している。
　【０００３】
　従来、この種の濾材としては、活性炭等の吸着剤により水のカルキ臭、カビ臭、トリハロメタン等を除去して、多孔質中空糸膜により細菌類、濁度成分等を除去する機能を有するものが知られているが、これらは長期に亘る使用で寿命が尽きたときに交換可能なように、濾過カートリッジとして浄水器本体に着脱自在に取り付けられている。
　【０００４】
　この濾過カートリッジ内の活性炭や中空糸膜は、水道水中の不純物をその微細構造の中に取り込むことで水道水を浄化している。
　そのため、濾過カートリッジは、ある一定量の不純物を取り込むことにより、それ以上の量の不純物を取り込むことができなくなり寿命に達する。
　【０００５】
　この濾過カートリッジを新たに交換してから寿命に達するまでの期間は、個々の浄水器の構造や使用環境によって異なるので、新しい濾過カートリッジへの交換時期を前もって予想することは難しい。
　そこで、従来より浄水器に濾過した水の積算流量を検出する検出手段を設け、その検出量が所定の量に到達した場合には、浄水器が浄水器使用者に濾過カートリッジの交換時期到来を知らせるという方法が広く用いられている。
　【０００６】
　【発明が解決しようとする課題】
　しかしながら、上述したような従来の浄水器には、以下のような問題が存在する。
　前記検出手段は、予め設定された一種類の濾過カートリッジにしか対応していないため、家の増改築等により水道水の使用量が変化した場合には、その使用量に応じた濾過カートリッジに交換したとしても既存の浄水器では新たな濾過カートリッジに対応できず、この濾過カートリッジの寿命を事前に知るには該濾過カートリッジの寿命を検出可能な浄水器を新たに購入する必要があった。
　【０００７】
　本発明は、以上のような点を考慮してなされたもので、異種の濾過カートリッジに交換した際にも、新たな浄水器を購入することなく、該濾過カートリッジの交換時期を検出できる浄水器を提供することを目的とする。
　【０００８】
　【課題を解決するための手段】
　上記の目的を達成するために本発明は、以下の構成を採用している。
　請求項１記載の浄水器は、浄水器本体に着脱自在に取り付けられ、内部に導入された原水を濾過する濾過カートリッジと、該濾過カートリッジの使用開始以後に該濾過カートリッジ内を流れた水の積算流量を算出する積算流量算出手段と、該積算流量算出手段により算出された積算流量と
該
異種の
、前記濾過カートリッジに設けられた寿命到達積算流量識別部は、磁性体又は突部であり、且つ前記浄水器本体と接続されて該浄水器本体から前記原水が導入される前記濾過カートリッジの原水導入口と同一面に設けられている
　【０００９】
　従って、本発明の浄水器によれば、濾過カートリッジを交換した際に、寿命到達積算流量設定部が該濾過カートリッジの寿命到達積算流量識別部を識別して該濾渦カートリッジの寿命到達積算流量を設定すると共に、そのデータを基準寿命到達積算流量として比較手段に供給することができる。
　そして、比較手段が寿命到達積算流量設定部から供給された基準寿命到達積算流量と、積算流量算出手段により算出された積算流量とを比較することができる。
　【００１０】
　請求項２記載の浄水器は、請求項１記載の浄水器において、前記比較手段による比較結果を報知する報知手段を備えてなることを特徴とする。
　【００１１】
　従って、本発明の浄水器によれば、報知手段により、寿命到達積算流量設定部により設定された濾過カートリッジの基準寿命到達積算流量と、積算流量算出手段により算出された積算流量とを比較手段が比較した結果を報知することができる。
　【００１２】
　【発明の実施の形態】
　以下、本発明の浄水器の実施の形態を、図１ないし図４を参照して説明する。
　ここでは、例えば、蛇口直結型浄水器の例を用いて説明する。
　図２および図３において、符号１は、浄水器である。
　浄水器１は、蛇口２に固定される浄水器本体３と、該浄水器本体３に着脱自在に取り付けられる濾過カートリッジ４とを備えた構成とされるものである。
　【００１３】
　浄水器本体３には、蛇口２から原水が流入する流路５と、該流入した原水を濾過カートリッジ４へ導く浄水部流入路６と、前記流入した原水を直射して吐出する吐出口７へ導く第一の原水流入路８と、原水をシャワー状に吐出する吐出口９へ導く第二の原水流入路（図示せず）が形成されており、これら浄水部流入路６、第一の原水流入路８、第二の原水流入路への分岐部には、回動することにより流入した原水をこれら各流入路へ切り換えて流入させる切換弁１０が設けられており、切換弁１０には、該切換弁１０を回動するための切換レバー１９が設けられている。
　【００１４】
　濾過カートリッジ４は、カートリッジ本体１３と、該カートリッジ本体１３に間隙１４を隔てて設けられた濾過体１５とを備えた構成とされている。
　濾過体１５は、原水導入口１６から流入し、間隙１４を経て濾過導入口１７に到った原水を濾過するものであって、内部に活性炭１１と中空糸膜１２とを収納している。
　活性炭１１は、原水のカルキ臭、カビ臭、トリハロメタン等を除去するものであり、中空糸膜１２は原水中の細菌類、濁度成分等を除去するものである。
　【００１５】
　濾過部１５の下流側には、該濾過部１５で濾過された浄水が集水される集水部１８が形成され、集水部１８には一端が集水部１８に開口して、他端が外部に開口する吐出口２０とされる吐出路２１が形成されている。
　【００１６】
　また、図４に示すように、間隙１４の上端には、水抜部２２が設けられている。
　水抜部２２は、濾過後、濾過カートリッジ４内の水を抜く機能を有するものであって、外部に開口する空気導入口２３と、該空気導入口２３の中間部に配設されたゴム弁２４とを備えた構成とされている。
　【００１７】
　一方、濾過カートリッジ４には、浄水器本体３との接合面に、該浄水器本体３に対向して磁性体２５（寿命到達積算流量識別部）が設けられており、浄水器本体３には浄水部流入路６の途中に、かつ磁性体２５の近傍に濾材寿命計測器２６が設けられている。
　磁性体２５は、該磁性体２５が設けられた濾過カートリッジ４の寿命到達積算流量を識別可能とする識別手段として設けられたものである。
　【００１８】
　図１に示すように、濾材寿命計測器２６は、寿命検知回路２８と識別回路２９（寿命到達積算流量設定部）と表示回路３０（報知手段）とこれら回路に電力を供給する電源回路３１とを備えた構成とされている。
　識別回路２９は、磁性体２５を識別して濾過カートリッジ４の寿命到達積算流量を設定するものであって、識別用演算回路３２と濾材寿命設定回路３３とから構成されるものである。
　【００１９】
　識別用演算回路３２は、濾過カートリッジ４が浄水器本体３に取り付けられたときに磁性体２５からの信号を処理するものであって、電源回路３１との間に定電流回路３４を介して配置され、磁性体２５の情報を磁気抵抗として読み取る磁気抵抗素子３５と、該磁気抵抗素子３５からの出力を増幅する増幅回路３６と、該増幅回路３６で増幅された出力を基準電圧と比較する濾材比較回路３７とを備えた構成とされている。
　濾材寿命設定回路３３は、識別用演算回路３２が処理した結果に基づいて濾過カートリッジ４が、小容量か大容量を識別すると共に、そのときの濾過カートリッジ４の寿命到達積算流量を基準寿命到達積算流量として設定するものである。
　【００２０】
　寿命検知回路２８は、積算流量算出回路３８（積算流量算出手段）と寿命比較回路３９（比較手段）とを備えた構成とされるものである。
　積算流量算出回路３８は、濾過カートリッジ４が浄水器本体３に取り付けられた後に濾過カートリッジ４内を流れた水の積算流量を算出するものであって、流量計測手段２７と計測用演算回路４０と積算流量記憶回路４１とから構成されるものである。
　【００２１】
　流量計測手段２７は、浄水部流入路６を経て濾過カートリッジ４へ向かう原水の流量を計測するものであり、計測した信号は計測用演算回路４０へ送られる。
　計測用演算回路４０は、流量計測手段２７から送られた信号を演算処理して浄水部流入路６を経た原水の流量を算出するものであり、算出された流量値は積算流量記憶回路４１へ送られる。
　【００２２】
　積算流量記憶回路４１は、計測用演算回路４０で算出された流量値を積算して積算流量値として記憶するものである。
　また、この積算流量記憶回路４１は、濾過カートリッジ４が交換されて濾材寿命設定回路３３に該濾過カートリッジ４の寿命到達積算流量が設定されたときに初期化されるものである。
　【００２３】
　寿命比較回路３９は、積算流量算出回路３８で算出された積算流量と、濾材寿命設定回路３３で設定され、該濾材寿命設定回路３３から供給された濾過カートリッジ４の基準寿命到達積算流量とを比較するものであり、比較した結果、積算流量が基準寿命到達積算流量に達していたときには、その信号を表示回路３０へ送るものである。
　表示回路３０は、寿命比較回路３９からの信号に基づいて、積算流量が基準寿命到達積算流量に達していたときに、使用者に対してＬＥＤ等により表示するものである。
　【００２４】
　上記の構成の浄水器の動作について説明する。
　まず、浄水器本体３に小容量の濾過カートリッジ４を取付ける。
　これにより、識別回路２９が作動して、磁気抵抗素子３５が濾過カートリッジ４に設けられた磁性体２５の磁気抵抗を読み取り、定電流回路３４を介して増幅回路３６へ出力する。
　そして、増幅回路３６で増幅された出力信号は、濾材比較回路３７へ送られ、ここで基準電圧と比較された後、比較結果として濾材寿命設定回路３３へ送られる。
　【００２５】
　濾材寿命設定回路３３は、濾材比較回路３７から送られた比較結果により、濾過カートリッジ４を小容量のものと識別し、あらかじめ記憶している小容量用の寿命到達積算流量を取付けられた濾過カートリッジ４の基準寿命到達積算流量として設定すると共に、寿命検知回路２８の積算流量記憶回路４１に記憶されている積算流量値を初期化する。
　【００２６】
　次に、浄水を使用するためには、切換レバー１９を操作して蛇口２からの原水が浄水部流入路６へ流入する位置へ切換弁１０を回動させる。
　そして、蛇口２を開くと、蛇口２から流路５を通って流入した原水は、切換弁１０により浄水部流入路６を経て原水導入口１６から濾過カートリッジ４内の間隙１４へ流入する。
　【００２７】
　間隙１４を経て濾過導入口１７に到った原水は、そこから濾過体１５内へ導入され、内部の活性炭１１および中空糸膜１２により濾過されて浄水となる。
　この後、浄水は、集水部１８から吐出路２１を通って吐出口２０から浄水として吐出される。
　【００２８】
　このとき、水抜部２２のゴム弁２４は、間隙１４から空気導入口２３へ侵入した原水の水圧により、空気導入口２３の外部側（図４左側）に押圧されて空気導入口２３を閉塞して、原水が外部へ漏れることを防止する。
　また、使用者が浄水使用を中断したときには、間隙１４への原水供給が停止されるため、ゴム弁２４の押圧が解除される。
　これにより、空気導入口２３から空気が導入されるため、濾過体１５内に残留していた原水および浄水が吐出口２０から外部へ排出され、濾過体１５内が衛生さを保つことができる。
　【００２９】
　一方、原水が浄水部流入路６を通過しているときには、寿命検知回路２８が作動する。
　即ち、流量計測手段２７が浄水部流入路６を経て濾過カートリッジ４へ向かう原水の流量を計測して、計測した信号を計測用演算回路４０へ送る。
　計測用演算回路４０は、この信号を演算処理して浄水部流入路６を経た原水の流量を算出して、算出した流量値を積算流量記憶回路４１へ送る。
　【００３０】
　積算流量記憶回路４１は、既に記憶している積算流量値と、計測用演算回路４０から送られた流量値とを積算した結果を新たに積算流量値として記憶する。
　そして、寿命比較回路３９がこの積算流量記憶回路４１に記憶されている積算流量値と、濾材寿命設定回路３３に設定されている基準寿命到達積算流量とを比較して、積算流量値が基準寿命到達積算流量に達していたときには、信号を表示回路３０へ送る。
　表示回路３０は、寿命比較回路３９からの信号に基づいて、使用者に対してＬＥＤ表示により濾過カートリッジ４の交換時期が到来した旨の表示をする。
　【００３１】
　一方、浄水を使用せず、原水を使用するときには、切換レバー１９を操作して切換弁１０を回動することにより、蛇口２から流路５を通って流入した原水は、第一の原水流入路８または第二の原水流入路へ導かれ、それぞれ吐出口７または吐出口９から原水のまま吐出される。
　このとき、浄水部流入路６には、原水が供給されないため、積算流量算出回路３８は作動せず、従って、積算流量記憶回路４１が以前の積算流量値を保持し続ける。
　【００３２】
　本実施の形態の浄水器によれば、異種の濾過カートリッジ４に交換しても識別回路２９により自動的にその寿命到達積算流量を設定できる。
　また、表示回路３０により、濾過カートリッジ４の交換時期の到来を知ることができる。
　【００３３】
　なお、具体的な構成は、上記実施の形態に限られることなく、本発明の要旨を逸脱しない範囲の設計の変更があっても本発明に含まれるものである。
　例えば、上記の実施の形態においては、切換弁と原水導入孔とを直接接続する構成としたが、切換弁からホース等により原水を取り出して別の場所に配置した濾過カートリッジに接続してもよい。
　【００３４】
　また、濾過カートリッジの寿命到達流水量を磁気抵抗素子を用いて識別しているが、ホール効果を利用したホール素子やホールＩＣに類する検出素子を用いて濾過カートリッジの種類をより細かく識別できるようにしてもよい。
　濾過カートリッジにおいても、その寿命到達流水量を磁性体ではなく、例えば、濾過カートリッジに寿命到達流水量に応じた突部を設け、識別用演算回路において該突部が示す情報を読み取るような構成であってもよい。
　【００３５】
　一方、流量計測手段としては、浄水部流入路６内に流量を一定にする定量弁を設け、原水がその定量弁を通過している時間を積算して積算流量値とするような構成であってもよい。
　また、濾過カートリッジが寿命に達したことをＬＥＤ表示する構成としたが、例えば、ＬＥＤに代えて、ブザー、液晶ディスプレイ等により使用者に報知する構成であってもよい。
　【００３６】
　【発明の効果】
　以上説明したように、請求項１に係る浄水器によれば、濾過カートリッジの寿命到達積算流量を識別可能とする寿命到達積算流量識別部と、寿命到達積算流量識別部を識別して
異種の
寿命到達積算流量識別部が磁性体又は突部であり、且つ浄水器本体と接続されて浄水器本体から原水が導入される濾過カートリッジの原水導入口と同一面に設けられている
　これにより、水の使用量の増減に際しても、浄水器を新たに購入することなく、濾過カートリッジに応じて寿命到達積算流量識別部を変更したときに、寿命到達積算流量設定部が変更に対応して寿命到達積算流量を設定することができるという優れた効果を奏するものである。
　【００３７】
　請求項２に係る浄水器によれば、濾過カートリッジの寿命到達積算流量と積算流量とを比較した結果を報知する報知手段を備える構成となっている。
　これにより、濾過カートリッジの交換時期の到来を容易に知ることができるという優れた効果を奏する。
【図面の簡単な説明】
　【図１】本発明の実施の形態による浄水器の構成を示すブロック図である。
　【図２】本発明の実施の形態の浄水器を示す断面図である。
　【図３】図２におけるＢ−Ｂ’線視断面図である。
　【図４】図２におけるＡ−Ａ’線視断面図である。
　【符号の説明】
　１　浄水器
　３　浄水器本体
　４　濾過カートリッジ
　２５　磁性体（寿命到達積算流量識別部）
　２９　識別回路（寿命到達積算流量設定部）
　３０　表示回路（報知手段）
　３８　積算流量算出回路（積算流量算出手段）
　３９　寿命比較回路（比較手段）